(57)【要約】  本発明の少なくとも一の実施例は、グラファイト鉛筆の外観に似せた筆記用具に特に有益に使用できる消去可能なインク組成に関する。本発明の組成は、溶剤システムと、ゴムと、顔料を具える。本発明に用いられる溶剤システムは、有機エステルと；選択的に置換されたシクロパラフィンと、選択的に置換されたシクロアルカノンと、選択的に置換されたシクロアルケンと、あるいはこれらの混合物からなる群から選択された成分とを具える。消去可能なインク組成が筆記具内を流れるのに十分な量の溶剤システムが存在する。好ましくは、本発明の消去可能なインク組成は、グラファイトとカーボンブラックを具える顔料を含む。この消去可能なインク組成は、選択的に、可塑剤、液体ブテン、あるいは、腐蝕防止剤、流動強化化合物、およびこれらの混合物からなる群から選択された一又はそれ以上の添加剤を含む。【特許請求の範囲】
【請求項１】
消去可能なインク組成において：
選択的に置換されたシクロパラフィン、選択的に置換されたシクロアルケン、選択的に置換されたシクロアルカノン、およびこれらの混合物からなる群から選択された成分と；
イソブチルブチレートと；
ゴムと；
顔料と；を含む溶剤システムを具え、
前記消去可能なインク組成が筆記具内を流れるのに十分な量の前記溶剤システムが存在することを特徴とする消去可能なインク組成。
【請求項２】
請求項１に記載の消去可能なインク組成において、前記顔料が、グラファイトパウダ、カーボンブラックパウダ、またはこれらの混合物であることを特徴とする消去可能なインク組成。
【請求項３】
請求項１に記載の消去可能なインク組成において、前記消去可能なインク組成の総重量の２％ないし２５％の量の前記顔料が存在することを特徴とする組成。
【請求項４】
請求項１に記載の消去可能なインク組成において、前記消去可能なインク組成が２５℃で、粘度２０，０００ｃP乃至６０，０００ｃPを有するのに十分な量の前記溶剤システムが存在することを特徴とする組成。
【請求項５】
請求項１に記載の消去可能なインク組成において、前記溶剤システムが、４ないし７員環の選択的に置換されたシクロパラフィンと、４ないし７員環の選択的に置換されたシクロアルカノンと、４ないし７員環の選択的に置換されたシクロアルケンと、これらの混合物からなる群から選択された成分と；有機エステルを具えることを特徴とする組成。
【請求項６】
請求項１に記載の消去可能なインク組成において、前記溶剤システムが、シクロヘキサン、シクロヘキサノン、およびこれらの混合物からなる群から選択された成分と；
イソブチルブチレートと；
を具えることを特徴とする組成。
【請求項７】
請求項１に記載の消去可能なインク組成において、前記消去可能なインク組成の全重量の２５％ないし５５％の量の前記溶媒システムが存在することを特徴とする組成。
【請求項８】
請求項７に記載の消去可能なインク組成において：
前記溶剤システムの総重量の４０％ないし８０％の量で存在するシクロヘキサンと；
前記溶剤システムの総重量の２０％ないし６０％の量で存在するイソブチルブチレートと；
を具えることを特徴とする組成。
【請求項９】
請求項１に記載の消去可能なインク組成において、前記ゴムが天然ゴムまたは合成ゴムであることを特徴とする組成。
【請求項１０】
請求項１に記載の消去可能なインク組成において、前記ゴムがスチレンとイソプレンの共重合体である合成ゴムであることを特徴とする組成。
【請求項１１】
請求項１に記載の消去可能なインク組成において、前記天然または合成ゴムが、前記消去可能なインク組成の総重量の１０％ないし４０％の量で存在することを特徴とする組成。
【請求項１２】
請求項１に記載の消去可能なインク組成が更に：
可塑剤；
腐蝕防止剤、流動強化化合物、およびこれらの混合物からなる群から選択された添加剤；
液体ブテン重合体；および
これらの混合物；
からなる群から選択された成分を具えることを特徴とする組成。
【請求項１３】
請求項１２に記載の消去可能なインク組成において、前記添加剤が腐蝕防止剤を具えることを特徴とする組成。
【請求項１４】
請求項１３に記載の消去可能なインク組成において、前記腐蝕防止剤が、前記消去可能なインク組成の総重量の０．５％ないし６％の量で存在する燐酸エステルを具えることを特徴とする組成。
【請求項１５】
請求項１２に記載の消去可能なインク組成において、前記添加剤が流動強化材を具えることを特徴とする組成。
【請求項１６】
請求項１５に記載の消去可能なインク組成において、前記流動強化材が、前記消去可能なインク組成の総重量の０．５％ないし１２％の量で存在する鉱物オイルを具えることを特徴とする組成。
【請求項１７】
請求項１２に記載の消去可能なインク組成において、前記液体ブテン重合体が、ポリブテン、ブテンとイソブテンの共重合体、およびこれらの混合物からなる群から選択された成分を具えることを特徴とする組成。
【請求項１８】
請求項１２に記載の消去可能なインク組成において、前記可塑剤が、ジブチルフタレート、ジオクチルフタレート、およびこれらの混合物からならなる群から選択された少なくとも一のフタル酸エステルであることを特徴とする組成。
【請求項１９】
請求項１８に記載の消去可能なインク組成において、前記少なくとも一のフタル酸エステルが、前記消去可能なインク組成の総重量の３％ないし２５％の量で存在することを特徴とする組成。
【請求項２０】
請求項１８に記載の消去可能なインク組成において、前記少なくとも一のフタル酸エステルが：
前記フタル酸エステル混合物の総重量の１０％ないし４０％の量で存在するジブチルフタレートと；
前記フタル酸エステル混合物の総重量の６０％ないし９０％の量で存在するジオクチルフタレートと；
を具えるフタル酸エステル混合物であることを特徴とする組成。
【請求項２１】
消去可能なインク組成において：
選択的に置換されたシクロパラフィン、選択的に置換されたシクロアルケン、選択的に置換されたシクロアルカノン、およびこれらの混合物からなる群から選択された成分と；
有機エステルと；
ジブチルフタレート、ジオクチルフタレート、およびこれらの混合物からなる群から選択した少なくとも一のフタル酸エステルと；
ゴムと；
腐蝕防止剤、流動強化化合物、およびこれらの混合物からなる群から選択された添加剤と；
液体ブテン重合体と；
グラファイトとカーボンブラックを具える顔料と；を含む溶剤システムを具えることを特徴とする消去可能なインク組成。
【請求項２２】
請求項２１に記載の消去可能なインク組成において、前記消去可能なインク組成が筆記具内を流れるのに十分な量の前記溶剤システムが存在し、前記消去可能なインク組成が、２５℃で、粘度２０，０００ｃP乃至６０，０００ｃPを有することを特徴とする組成。
【請求項２３】
請求項２１に記載の消去可能なインク組成において、前記溶剤システムが、４ないし７員環の選択的に置換されたシクロパラフィンと、４ないし７員環の選択的に置換されたシクロアルカノンと、４ないし７員環の選択的に置換されたシクロアルケンと、これらの混合物からなる群から選択された成分と；有機エステルを具えることを特徴とする組成。
【請求項２４】
請求項２１に記載の消去可能なインク組成において、前記溶剤システムが、シクロヘキサン、シクロヘキサノン、およびこれらの混合物からなる群から選択された成分と；
イソブチルブチレートと；
を具えることを特徴とする組成。
【請求項２５】
請求項２１に記載の消去可能なインク組成において：
前記消去可能なインク組成の総重量の２５％ないし５５％の量の前記溶剤システムが存在することを特徴とする組成。
【請求項２６】
請求項２１に記載の消去可能なインク組成において：前記グラファイトが、前記消去可能なインク組成の総重量の約２％ないし約２０％の量で存在し、前記カーボンブラックが、前記消去可能なインク組成の総重量の約２％ないし約２０％の量で存在することを特徴とする組成。
【請求項２７】
消去可能なインク組成において：
溶剤システムであって；
前記溶剤システムの総重量の約４０％ないし約８０％の量のシクロヘキサンと；
前記溶剤システムの総重量の約２０％ないし約６０％の量のイソブチルブチレートと；
ジブチルフタレートと、ジオクチルフタレートと、これらの混合物からなる群から選択された少なくとも一のフタル酸エステルと；
ゴムと；
腐蝕防止剤、流動強化成分、およびこれらの混合物からなる群から選択された添加剤と；
液体ブテン重合体と；
グラファイトとカーボンブラックを具える顔料と；
を具える溶剤システムを具え、
筆記具内を前記消去可能なインク組成が流れるのに十分な量の前記溶剤システムが存在し、前記消去可能なインク組成が２５℃で、粘度２０，０００ｃP乃至６０，０００ｃPを有することを特徴とする組成。
【請求項２８】
請求項２７に記載の消去可能なインク組成において、前記少なくとも一のフタル酸エステルが、前記消去可能なインク組成の総重量の３％ないし２５％の量で存在することを特徴とする組成。
【請求項２９】
請求項２７に記載の消去可能なインク組成において、前記少なくとも一のフタル酸エステルが：
前記フタル酸エステル混合物の総重量の１０％ないし４０％の量で存在するジブチルフタレートと；
前記フタル酸エステル混合物の総重量の６０％ないし９０％の量で存在するジオクチルフタレートと；
を具えるフタル酸エステル混合物であることを特徴とする組成。
【請求項３０】
請求項２７に記載の消去可能なインク組成において：
前記溶剤システムが、前記消去可能なインク組成の総重量の２５％ないし５５％の量で存在することを特徴とする組成。
【発明の詳細な説明】
【技術分野】
【０００１】
１． 発明の属する技術分野
少なくとも一の特徴において、本発明はグラファイト鉛筆の外観を実質的にまねた消去可能なインク組成に関するものであり、特に、グラファイト鉛筆の外観を実質的にまねた、交換可能なカートリッジに好適に使用される消去可能なインク組成に関する。
【背景技術】
【０００２】
２． 従来の技術
何年もの間、消去可能な、鉛筆のような跡形を生むペンを製造することが望まれてきた。いくつもの消去可能なインク組成が知られているが、鉛筆の跡形を実質的にまねた消去可能なインク組成を作るという試みは、跡形の質が悪いこと、また消去性が悪いといった困難に悩まされてきた。鉛筆をまねた組成に問題があるにもかかわらず、普通の鉛筆けしごむで消去可能なインク組成が知られている。一般的に、このような組成は、少なくとも数時間、消去力を保持している。
【０００３】
消去可能なインクの従来技術には、水性と非水性の消去可能なインク組成がある。非水性の消去可能なインクの配合は、最小限、ゴムと、顔料と、少なくとも一の溶剤を含む。例えば、米国特許第４，３９０，６４６号、第４，３８９，４９９号は、それぞれ、熱可塑性ブロック共重合体と、顔料と、溶剤を含む消去可能なインク組成を開示している。好ましくは、この共重合体は、ラジアルブロック共重合体とリニアブロック共重合体の混合物である。同様に、米国特許第４，７２１，７３９号（以下、’７３９特許という）は、ブロック重合体、可塑剤、潤滑剤、染料（すなわち、顔料）、および樹脂を含む消去可能なインク組成を開示している。’７３９特許に示す好適な可塑剤は、ブチルステアレートとジオクチルアジペートなどの脂肪族エステルであるか、あるいはジオクチルフタレートなどの芳香性エステルである。これらのエステルは、２５０以上の中くらいの分子量を有する。
【０００４】
特定の顔料の選択は、消去可能なインク組成によって形成される跡形の消去可能性を維持するのに重要である。さらに、溶剤中に溶ける好適なゴム（ブロック重合体）は、その溶剤が蒸発するときに、紙に対するインクの浸透力が最小になる点までインクの粘度が上がるように選択される。残念ながら、これらの組成物は、長期間使用しないと筆記具（すなわち、ペン）が詰まるという問題がある。この現象は、インクが湿度のある環境にさらされると幾分悪くなる傾向にある。従って、米国特許第４，６２９，７４８号（以下、‘７４８特許という）は、ゴムと非水性溶剤を含む消去可能なインク組成における様々な分散性の効用を開示して、この問題を少なくとも部分的に解決している。特に、’７４８特許は、アルキルホスフェートエステル、アミン、および、オキシエチレン−オキシプロピレンブロック共重合体の使用を示唆している。
【０００５】
同様に、様々な水性性の消去可能なインク組成物が従来技術に存在する。典型的には、このような水性組成物は、スチレン−ブタジエンなどのブロック共重合体と顔料を含有している。一般に、このような組成物は、放出および拡散剤、抗酸化剤、界面活性剤、ゲル化剤、潤滑剤、および様々なワックスなどの一またはそれ以上の添加物も含有している。
【０００６】
様々な従来の消去可能なインク組成物の多くは通常同じ程度に作用するが、筆記具を実質的に詰まらせることなく、また形成した跡形を実質的に変化させることなく、鉛筆の跡形に実質的に似た跡形を作る改良された消去可能なインク組成物が求められている。更に、従来技術の配合の典型であった数時間ではなく、一日またはそれ以上の間消去可能である跡形を作ることができる配合が求められている。
【０００７】
発明の概要
本発明は、筆記具に特に有益な改良された消去可能なインク組成であって、グラファイト鉛筆でできる跡形の外観と実質的に同様の外観を生むインク組成を提供することによって従来技術の問題点の少なくとも一つを解決するものである。更に、本発明の組成は、紙面に跡形ができてから少なくとも一日間は普通の鉛筆用消しゴムで実質的に消去可能な跡形を生む。少なくとも一の実施例では、本発明の組成は、溶剤システムと、ゴムと、顔料を具える。本発明に用いられるこの溶剤システムは、有機エステルと、選択的に置換されたシクロパラフィンと、選択的に置換されたシクロアルカノンと、選択的に置換されたシクロアルケン、またはこれらの混合物からなる群から選択された成分を含む。この組成は、消去可能なインク組成が筆記具内を流れるのに十分な量の溶剤システムを具える。最後に、本発明の消去可能なインク組成は、選択的に：
可塑剤
腐蝕防止剤、流動強化化合物、およびこれらの混合物からなる群から選択された添加剤
液体ブテン重合体
の一又はそれ以上を含む。
【０００８】
好適な実施例の詳細な説明
本発明の好ましい組成あるいは実施例および方法の詳細を以下に説明する。この説明は、発明者が知る現時点での本発明を実施する最良の形態を構成する。
【０００９】
請求項と実施例にある以外、または明確に別段の記載がある箇所以外では、材料の量、または反応及び／又は使用状態を表示するこの説明における全ての数量は、本発明の最も広い範囲を記載するべく「約」という用語で修飾されると考えるべきである。記載されている数値限定内の実施が、一般に好ましい。これに反することが明確に記載されていない限り：パーセント、「〜部」、および比率は、重量による；「重合体」の用語は、「オリゴマ」、「共重合体」、「ターポリマ」および同様のものを含む；本発明に関連する所定の目的に好適な、あるいは好ましいとする、材料のクラスの群の記載は、当該群またはクラスのあらゆる二又はそれ以上の構成員の混合物が同様に好適または好ましいことを意味する；化学用語での成分の記載は、この説明で特定されているあらゆる組み合わせに追加する時点での成分を意味し、一旦混合された混合物の成分間の化学的相互作用を除外するものではない；イオン形状での物質の詳細は、組成全体を電気的に中性にする十分なカウンタイオンの存在を示唆する（従って、暗に特定されるあらゆるカウンタイオンは、好ましくは、可能な範囲内で、イオン形状で明確に特定された他の成分から選択されるべきであり；さもなければ、これらのカウンタイオンは、本発明の目的と逆に作用するカウンタイオンを除き、自由に選択することができる）；および、用語「モル」とそのバリエーションは、元素種、イオン種、及び、存在する原子の数量及び種類にて定義されるあらゆるその他の化学種と、明確な分子を伴う化合物に適用することができる。
【００１０】
ここで用いられる「シクロパラフィン」なる用語は、炭素原子環を有する環状飽和炭化水素を意味する。シクロパラフィンは、一又はそれ以上の置換基で置換する（すなわち、選択的に置換する）ことができる。好適な置換基は、低級アルキル、低級アルコキシ、低級チオアルコキシ、ヒドロキシ、低級アルキルアミノ、アミノ、およびニトロを含むが、これに限定されるものではない。
【００１１】
ここで用いられる「シクロアルケン」なる用語は、一又はそれ以上の二重結合を伴う炭素原子環を有する環状炭化水素を意味する。シクロアルケンは、一又はそれ以上の置換基で置換する（すなわち、選択的に置換する）ことができる。好適な置換基は、低級アルキル、低級アルコキシ、低級チオアルコキシ、ヒドロキシ、低級アルキルアミノ、アミノ、およびニトロを含むが、これに限定されるものではない。
【００１２】
ここで用いられる「シクロアルカノン」なる用語は、少なくとも一の炭素原子環が酸素に二重結合している環状炭素原子を有する環状炭化水素を意味する。シクロアルカノンは、一又はそれ以上の置換基で置換する（すなわち、選択的に置換する）ことができる。好適な置換基は、低級アルキル、低級アルコキシ、低級チオアルコキシ、ヒドロキシ、低級アルキルアミノ、アミノ、およびニトロを含むが、これに限定されるものではない。
【００１３】
ここで用いられる「低級アルキル」の用語は、１乃至６の炭素原子を有する、枝分かれした、またはストレート炭化水素ラジカルを意味し、例えば、メチル、エチル、ｎ−プロピル、イソプロピル、ｎ−ブチル、イソブチル、ｓｅｃ−ブチル、ｔｅｒｔ−ブチル、他を含む。
【００１４】
ここで用いられる「低級アルコキシ」の用語は、上述の「低級アルキル」で定義したような、１乃至６の炭素原子を有するＯ−アルキルを意味する。
【００１５】
ここで用いられる「チオアルコキシ」の用語は、上述の「低級アルキル」で定義したような、１乃至６の炭素原子を有するＳ−アルキルを意味する。
【００１６】
ここで用いられる「ハロゲン」の用語は、フッ素、塩素、臭素、またはヨウ素を意味する。
【００１７】
ここで用いられる「有機エステル」の用語は、カルボン酸とアルコールを反応させて形成した有機化合物を意味する。
【００１８】
ここで用いられる「燐酸エステル」の用語は、燐酸（Ｈ３ＰＯ４）とアルコールを反応させて形成した化合物を意味する。この定義には、燐酸中の一、二、または三のヒドロキシル基をアルコキシル基で置換させて形成した化合物が含まれる。
【００１９】
ここで用いられる「フタル酸エステル」の用語は、フタル酸のエステルを意味する。フタル酸エステルは、硫酸の存在下で無水フタル酸をアルコールと反応させて作る。
【００２０】
本発明の一実施例では、消去可能なインク組成が提供されている。この消去可能なインク組成は：
選択的に置換されたシクロパラフィンと、選択的に置換されたシクロアルケンと、選択的に置換されたシクロアルカノンと、これらの混合物からなる群から選択された成分と；
有機エステルと；
ゴムと；
顔料と；
を含む溶剤システムを具え：
前記消去可能なインク組成が筆記具内を流れるのに十分な量の溶剤システムが加えられている。典型的には、本発明の消去可能なインク組成は、１５ｐｓｉから２０ｐｓｉの圧力下でインクを詰めた再使用可能なカートリッジに提供される。前記消去可能なインク組成が２５℃で２０，０００ｃＰから６０，０００ｃＰの粘度を有するのに十分な量の溶剤システムが存在する。より好ましくは、前記消去可能なインク組成が２５℃で３０，０００ｃＰから５０，０００ｃＰの粘度を有するのに十分な量の溶剤システムが存在し；最も好ましくは、前記消去可能なインク組成が２５℃で４０，０００ｃＰの粘度を有するのに十分な量の溶剤システムが存在する。本発明の組成は、跡形が紙面に形成された後少なくとも一日は消去可能な、普通の鉛筆用消しゴムで実質的に消去可能な跡形を作る。更に、本発明の組成は、跡形が紙面に形成された後一週間またはそれ以上消去可能な、普通の鉛筆用消しゴムで実質的に消去可能な跡形を作る。
【００２１】
本発明の消去可能なインク組成は、選択的に：
可塑剤；
腐蝕防止剤、流動強化化合物、およびこれらの混合物からなる群から選択された添加剤；
液状ブテン重合体；
の一又はそれ以上を含む。
【００２２】
本発明の改良された特徴の多くは溶剤システムの選択に帰するものである。この溶剤システムは、選択的に置換されたシクロパラフィン、選択的に置換されたシクロアルカノン、およびこの混合物からなる群から選択された環状成分と；有機エステルを具える。ある実施例では、この環状成分は、４〜７員環の選択的に置換されたシクロパラフィンと、４〜７員環の選択的に置換されたシクロアルカノンと、４〜７員環の選択的に置換されたシクロアルケンと、これらの混合物からなる群から選択される。他の実施例では、この環状成分は、シクロヘキサン、シクロヘキサノン、およびこれらの混合物からなる群から選択され；ある好ましい実施例では、この環状成分はシクロヘキサンである。ある実施例では、有機エステルは、分子量が２５０未満の低分子量有機エステルである。他の実施例では、有機エステルは分子量が２００未満である。ある好ましい実施例では、この有機エステルは、イソブチルブチレートである。
【００２３】
上述したとおり、ある実施例では、消去可能なインク組成が２５℃で、粘度２０，０００ｃＰから６０，０００ｃＰを有するように十分な量の溶剤システムが存在する。この範囲の粘度は、典型的には、消去可能なインク組成の総重量の２５％ないし５５％の量の溶剤システムが存在するときに得られる。より好ましくは、消去可能なインク組成の総重量の３０％ないし４５％の量の溶剤システムが存在し、最も好ましくは、消去可能なインク組成の総重量の３４％の量の溶剤システムが存在する。本明細書中で表現されている消去可能なインク成分のパーセンテージは全て、特に記載されていない限り、標準的な温度と圧力の下の消去可能なインク組成の総重量に対する記載されている成分の重量パーセントを意味する。好ましい溶剤システムは、シクロヘキサンとイソブチルブチレートを具える。この変形例においては、溶剤システムの総重量の４０％ないし８０％の量のシクロヘキサンが存在することが好ましく、溶剤システムの総重量の２０％ないし６０％の量のイソブチルブチレートが存在することが好ましい。より好ましくは、溶剤システムの総重量の４５％ないし７０％の量のシクロヘキサンが存在し、溶剤システムの総重量の３０％ないし５０％の量のイソブチルブチレートが存在し；最も好ましくは、溶剤システムの総重量の６５％の量のシクロヘキサンが存在し、溶剤システムの総重量の３５％の量のイソブチルブチレートが存在する。
【００２４】
本発明の組成は更にゴムを具える。合成ゴム、天然ゴム、およびこの混合物が好適に用いられる。ある実施例では、このゴムはスチレンとイソプレンの共重合体である天然または合成ゴムである。従って、これらの共重合体は、ブロック共重合体、ランダム共重合体、グラフト共重合体、またはこれらの混合物であっても良い。好ましくは、このゴムはブロック共重合体であり、より好ましくは、スチレンとイソプレンの共重合体である。消去可能なインク組成の総重量の１０％ないし４０％の量のゴムが存在することが好ましい。より好ましくは、消去可能なインク組成の総重量の１０％ないし２５％の量のゴムが存在し；最も好ましくは、消去可能なインク組成の総重量の１５％の量のゴムが存在する。特に好ましいゴムは、Kraton（登録商標）Ｄ−１１０７であり、これは、酸化防止剤、安定剤、ダスチング剤を含むスチレン−イソプレン−スチレンブロック共重合体である。Kraton（登録商標）Ｄ−１１０７は、テキサス州ヒューストンのKraton Polymers社から商業的に入手可能である。
【００２５】
本発明の消去可能なインクは顔料を具える。ある実施例では、この顔料はパウダ粒子の平均粒径が０．０５乃至４ミクロンのパウダ顔料である。他の実施例では、この顔料粒子は、平均粒径が０．５乃至３ミクロンであり；ある好ましい実施例では、顔料粒子の平均粒径が２ミクロンである。特に有益な粉状顔料は、グラファイトパウダ、カーボンブラック、およびこれらの混合物を具える。在る実施例では、消去可能なインク組成の総重量の２乃至２５％の量の粉状顔料が、存在する。より好ましくは、消去可能なインク組成の総重量の５乃至２０％の量の粉状顔料が、存在し；最も好ましくは、消去可能なインク組成の総重量の１８％の量の粉状顔料が存在する。特に好ましい顔料は、グラファイトとカーボンブラックを含む。特に好ましい顔料は、ニュージャージィ州
、アスブリィにあるAsbury Graphite Mills社から商業的に入手可能な合成グラファイトグレード４８２７と、Clariant社から商業的に入手可能なカーボンブラック（A148D）である。
【００２６】
本発明の特に有用は変形例では、顔料がグラファイトとカーボンブラックの混合物を具える。この組み合わせは、ボールペンの先端（すなわち、ボール）の磨耗を少なくするインク組成を提供し、利点がある。このような性能が改善されたメカニズムを特定の理論に限定するものではないが、グラファイトに比較して粒子サイズがより細かいカーボンブラックによってこのような強化が図られるものと考えられる。更に、このグラファイトとカーボンブラックの組み合わせは、本発明の消去可能なインク組成から作られる所望の印刷外観を提供する。上述したとおり、グラファイトとカーボンブラックの組み合わせが、消去可能なインク組成の総重量の約２％ないし２５％であることが好ましい。より好ましくは、このグラファイトとカーボンブラックの組み合わせが、消去可能なインク組成の総重量の５％ないし２０％であり；最も好ましくは、グラファイトとカーボンブラックの組み合わせは、消去可能なインク組成の総重量の１８％である。グラファイトの量は、好ましくは消去可能なインク組成の総重量の約２％ないし約２０％である。より好ましくは、このグラファイトの量は、消去可能なインク組成の総重量の約１０％ないし約１８％であり；最も好ましくは、グラファイトの量は、消去可能なインク組成の総重量の約１４％である。同様に、カーボンブラックの量は、好ましくは消去可能なインク組成の総重量の約２％ないし約２０％である。より好ましくは、このカーボンブラックの量は、消去可能なインク組成の総重量の約２％ないし約８％であり；最も好ましくは、カーボンブラックの量は、消去可能なインク組成の総重量の約４％である。
【００２７】
本発明の消去可能なインク組成はまた、選択的に、液体ブテン重合体と、可塑剤を具える。好適なブテン重合体は、ポリブテンあるいはブテンとイソブテンの共重合体、およびこれらの混合物を具えるが、これに限定されるものではない。好ましくは、消去可能なインク組成の総重量の約２％ないし約２０％の量のブテン重合体が存在する。より好ましくは、消去可能なインク組成の総重量の約４％ないし約１８％の量のブテン重合体が存在する。可塑剤は、好ましくは少なくとも一のフタル酸エステルである。好ましいフタル酸エステルは、ジブチルフタレート、ジオクチルフタレート、及びこの混合物である。ある実施例では、消去可能なインク組成の３％ないし２５％の量の可塑剤が存在する。他の実施例では、消去可能なインク組成の５％ないし１２％の量の可塑剤が存在し；ある好ましい実施例では、消去可能なインク組成の総重量の１６％の量の前記少なくとも一のフタル酸エステルが存在する。本発明の好ましい実施例の一つでは、前記少なくとも一のフタル酸エステルが、前記フタル酸エステル混合物の総重量の１０％乃至４０％の量で存在するジブチルフタレートを含むフタル酸エステルであり；前記フタル酸エステル混合物の総重量の１０％乃至９０％の量のジオクチルフタレートが存在する。
【００２８】
本発明の消去可能なインク組成は更に、選択的に、腐蝕防止剤、分散剤、流動強化材、潤滑剤、樹脂、およびこれらの混合物からなる群から選択された添加剤を具える。好ましい腐蝕防止剤は、燐酸エステル、特にアルキルホスフェートエステルを具えるがこれに限定されない。また、を具える。好ましい燐酸エステルは、Rhodia HPCII社から商業的に入手可能なRhodafac RS-410である。腐蝕防止剤は、消去可能なインク組成の腐蝕活性から筆記具（すなわち、ペン）の金属部品を防護する。更に、燐酸エステルは、長期にわたってインクの分散を改善する。好ましくは、消去可能なインク組成の総重量の０．５％から６％の量の腐蝕防止剤が存在する。より好ましくは、消去可能なインク組成の総重量の１％から５％の量の腐蝕防止剤が存在し；最も好ましくは、消去可能なインク組成の総重量の２％の量の腐蝕防止剤が存在する。
【００２９】
本発明の実施は特定の操作メカニズムに限定されるものではないが、前記流動強化材、潤滑剤、および樹脂は、消去可能な組成を上述の範囲内で調整しうるようにすることによって、少なくともある程度機能する。好ましい流動強化剤は、鉱物オイルとグリセリンを具える。好適な鉱物オイルは、Pennzoil社から入手可能な鉱物オイルのDrakol（登録商標）と、Witco Chemical Co.社から入手可能なRudol（登録商標）オイルを含むが、これに限定されるものではない。好ましくは、消去可能なインク組成の総重量の０．５％ないし１２％の量の鉱物オイルが存在する。より好ましくは、消去可能なインク組成の総重量の１％ないし１０％の量の鉱物オイルが存在し；最も好ましくは、消去可能なインク組成の総重量の８％の量の鉱物オイルが存在する。同様に、グリセリンがある場合は、好ましくは、消去可能なインク組成の総重量の約１％ないし約２０％の量で存在する。より好ましくは、消去可能なインク組成の総重量の約２％ないし約１５％の量のグリセリンが存在する。本発明の組成はまた、一またはそれ以上の潤滑財を含む。潤滑剤が存在する場合は、好ましくは消去可能なインク組成の総重量の０．５％ないし１０％の量で存在する。より好ましくは、消去可能なインク組成の総重量の１％ないし５％の量の潤滑剤が存在し；最も好ましくは、消去可能なインク組成の総重量の２％の量の潤滑剤が存在する。特に好ましい潤滑剤は、ルイジアナ州のウエストベーゴにあるJMN Specialties, Inc.社から商業的に入手可能な、Penetek（登録商標）である。
【００３０】
本発明の消去可能なインク組成はまた、添加物である樹脂を具えていても良い。このような樹脂を使用する場合は、好ましくは消去可能なインク組成の総重量の０．１％ないし３％の量の樹脂が存在する。より好ましくは、消去可能なインク組成の総重量の０．１％ないし１％の量の樹脂が存在する。特に好ましい潤滑剤は、ミシガン州のヤンドットにあるBASF Corporation社から商業的に入手可能な、PVPK-30（登録商標）あるいは、 PVPK-90（登録商標）である。
【００３１】
以下に述べる非限定的な例は本発明の実施例である。当業者は、本発明の精神と請求項の範囲内にある多くの変形例を認識することができる。
【００３２】
例１
表１に示す組成を混合したものを用意した。
【表１】
2006516662.tif 000002
【００３３】
例２
表２に示す成分を混合したものを用意した。プレミックスは、他の成分と組み合わせる前に、９５重量％のグリセリンと５重量％のPVPK−30を前もって組み合わせて作る。
【表２】
2006516662.tif 000003
【００３４】
表3に示す成分を混合した組成を用意した。プレミックスは、他の成分と組み合わせる前に、９５重量％のグリセリンと５重量％のPVPK−９0を前もって組み合わせて作る。（Rudol（登録商標）オイルは、Drakol（登録商標）オイルにしてもよい。）
【表３】
2006516662.tif 000004
【００３５】
本発明の実施例を説明したが、これらの実施例は本発明の可能な形態を全て述べたものではない。むしろ、明細書中で用いられている用語は、限定ではなく説明のための用語であり、本発明の精神と範囲から外れない範囲で様々な変更がなされる。
【国際調査報告】
2006516662.tif 000005
2006516662.tif 000006
2006516662.tif 000007